(57)【要約】  本発明は、霧状の水を対象物に付与する加湿システムに関するものである。  加湿空気を対象物に供給する加湿システムにおいて、対象物を効率良く加湿する。  加湿システム（1）は、水を霧化させ且つ帯電させた状態で放出する静電噴霧装置（2）を備える。静電噴霧装置（2）から放出された、帯電した水滴が人（P）に接近すると、電気影像力によって、該水滴が人（P）に引き寄せられる。こうして、霧状の水を、対象物（P）に効率良く吸収又は付着させることができる。
2008015994.tif 000002
【特許請求の範囲】
【請求項１】
霧状の水を対象物（P）に付与する加湿システムであって、
水を霧化させ且つ帯電させた状態で放出する帯電霧化手段（2,2A,2B,2C,2D）を備えることを特徴とする加湿システム。
【請求項２】
請求項１において、
前記対象物（P）を接地させる対象物接地手段（203）をさらに備えることを特徴とする加湿システム。
【請求項３】
請求項１において、
霧状の水を対象物（P）に付与する加湿システムであって、
前記対象物（P）を、前記帯電霧化手段（2,2A,2B,2C,2D）で帯電させた水の電位と逆電位に帯電させる対象物帯電手段（303）をさらに備えることを特徴とする加湿システム。
【請求項４】
請求項１において、
前記帯電霧化手段（2,2D）は、水を放出する放出口（51a）を有する水放出部（51,420）と該放出口（51a）の近傍に電界を形成する電界形成手段（22,50,60,420,425）とを有し、該放出口（51a）近傍に位置する水に電界を作用させることで該水を帯電させた状態で霧化させる静電噴霧手段（2,2D）であることを特徴とする加湿システム。
【請求項５】
請求項１において、
前記帯電霧化手段（2A,2B,2C）は、水を霧化させる霧化手段（7A,8,10）と水を帯電させる帯電手段（7B,9）とを含むことを特徴とする加湿システム。
【請求項６】
請求項５において、
前記帯電手段（9）は、前記霧化手段（8,10）で霧化された水をコロナ放電を利用して帯電させることを特徴とする加湿システム。
【請求項７】
請求項５において、
前記帯電手段（7B）は、水に電界を作用させて該水を分極させるものであり、
前記霧化手段（7A）は、前記帯電手段（7B）で分極させた水を霧化させることを特徴とする加湿システム。
【請求項８】
請求項１において、
前記対象物（P）は、人であることを特徴とする加湿システム。
【発明の詳細な説明】
【技術分野】
【０００１】
本発明は、霧状の水を対象物に付与する加湿システムに関するものである。
【背景技術】
【０００２】
従来より霧状の水を人等の対象物に付与する加湿システムが知られている。【０００３】
特許文献１に開示された加湿システムは、霧化された液滴に螺旋状に旋回する空気を吹き付けることによって加湿された旋回気流を発生させると共に、該旋回気流に対して斜め前方から別の気流を吹き付けることによって該旋回気流を拡散させている。こうすることで、この加湿システムは、加湿空気の拡散範囲を増大させている。
【特許文献１】特開２０００−２１３７８２号公報
【発明の開示】
【発明が解決しようとする課題】
【０００４】
ところで、霧状の水を含む加湿空気が人等の対象物の近傍まで流れてきて、該対象物にぶつかると、その加湿空気は該対象物の表面近傍を該表面に沿って流れていく。その結果、加湿空気中に含まれる霧状の水の大部分は、対象物に付着したり吸収されたりすることなく、対象物の表面近傍を該表面に沿って流れていくことになる。【０００５】
このため、特許文献１に係る加湿システムのように加湿空気の拡散範囲を増大させて、対象物の周辺に多くの加湿空気を送り込むことができたとしても、対象物に付着したり吸収される水分の量はそれほど増えず、対象物に霧状の水を効率良く付与することはできなかった。【０００６】
本発明は、かかる点に鑑みてなされたものであり、その目的とするところは、霧状の水を対象物に効率良く付与することにある。
【課題を解決するための手段】
【０００７】
本発明は、霧状の水と、対象物（P）との間に電位差を生じさせることによって、電気的な力を利用して、霧状の水を対象物（P）に効率良く吸収又は付着させるようにしたものである。【０００８】
第１の発明は、霧状の水を対象物（P）に付与する加湿システム（1）が対象である。そして、水を霧化させ且つ帯電させた状態で放出する帯電霧化手段（2,2A,2B,2C,2D）を備えるものとする。【０００９】
前記の構成の場合、前記帯電霧化手段（2,2A,2B,2C,2D）から、霧状の水、即ち微細な水滴が帯電した状態で放出される。ここで、対象物（P）が該水滴とは逆電位に帯電している場合には、帯電した水滴が該対象物（P）に接近すると、該水滴はクーロン力によって対象物（P）に引き寄せられるため、該水滴を対象物（P）に効率良く吸着又は付着させることができる。また、対象物（P）が帯電していない場合であっても、或る程度の電気容量を有する場合には、該水滴は電気影像力（該水滴の電荷により作られた電界によって該対象物（P）に水滴と逆電位の電荷が誘起されることで、水滴と対象物（P）との間に働く静電気力）によって対象物（P）に引き寄せられるため、該水滴を対象物（P）に効率良く吸収又は付着させることができる。【００１０】
このように、帯電霧化手段（2,2A,2B,2C,2D）によって霧状の水を帯電した状態で放出することによって、対象物（P）が帯電しているときはもちろん、帯電していないときであっても、該水を対象物（P）に効率良く吸着又は付着させることができる。【００１１】
尚、前記帯電霧化手段（2,2A,2B,2C,2D）は、水を霧化した後に帯電させるものであっても、水を帯電させた後に霧化するものであっても、水を帯電させながら霧化するものであってもよく、帯電と霧化との順序は問わない。【００１２】
第２の発明は、第１の発明において、前記対象物（P）を接地させる対象物接地手段（203）をさらに備えるものとする。【００１３】
前記の構成の場合、前記対象物（P）が前記対象物接地手段（203）によって接地されているため、帯電した水滴が対象物（P）に接近すると、該対象物（P）に水滴と逆電位の電荷が確実に誘起され、該水滴は電気影像力によって対象物（P）に確実に引き寄せられる。こうして、前記帯電霧化手段（2,2A,2B,2C,2D）から放出される霧状の水を、対象物（P）により効率良く吸収又は付着させることができる。【００１４】
第３の発明は、第１の発明において、前記対象物（P）を、前記帯電霧化手段（2,2A,2B,2C,2D）で帯電させた水の電位と逆電位に帯電させる対象物帯電手段（303）をさらに備えるものとする。【００１５】
前記の構成の場合、前記対象物帯電手段（303）によって、前記対象物（P）が該帯電霧化手段（2,2A,2B,2C,2D）で帯電した水滴の電位と逆電位に帯電させられる。その結果、帯電した水滴が該水滴と逆電位に帯電した対象物（P）に接近すると、該水滴はクーロン力によって対象物（P）に引き寄せられる。こうして、前記帯電霧化手段（2,2A,2B,2C,2D）から放出される霧状の水を、対象物（P）により効率良く吸収又は付着させることができる。【００１６】
第４の発明は、第１〜第３の何れか１つの発明において、前記帯電霧化手段（2）は、水を放出する放出口（51a）を有する水放出部（51,240）と該放出口（51a）の近傍に電界を形成する電界形成手段（22,50,60,240,245）とを有し、該放出口（51a）近傍に位置する水に電界を作用させることで該水を帯電させた状態で霧化させる静電噴霧手段（2,2D）であるものとする。【００１７】
前記の構成の場合、前記帯電霧化手段（2,2D）は、いわゆる静電噴霧によって帯電した微細な水滴を放出する。かかる静電噴霧によれば、前記水放出部（51,240）の放出口（51a）に位置する水がクーロン力によって霧化されるため、水の帯電と霧化とを同時に行うことができる。その結果、帯電霧化手段（2）の構成を簡略化することができ、部品点数を削減することができる。【００１８】
第５の発明は、第１〜第３の何れか１つの発明において、前記帯電霧化手段（2A,2B,2C）は、水を霧化させる霧化手段（7A,8,10）と水を帯電させる帯電手段（7B,9）とを含むものとする。【００１９】
前記の構成の場合、帯電霧化手段（2A,2B,2C）を霧化手段（7A,8,10）と帯電手段（7B,9）とで構成することによって、霧化と帯電とにそれぞれ特化して設計することができるため、設計自由度を向上させることができる。【００２０】
第６の発明は、第５の発明において、前記帯電手段（9）は、前記霧化手段（8,10）で霧化された水をコロナ放電を利用して帯電させるものとする。【００２１】
前記の構成の場合、前記霧化手段（8,10）にコロナ放電を利用した帯電手段（9）を組み合わせることによって、前記帯電霧化手段（2A,2B,2C）を簡易に実現することができる。【００２２】
第７の発明は、第５の発明において、前記帯電手段（7B）は、水に電界を作用させて該水を分極させるものであり、前記霧化手段（7A）は、前記帯電手段（7B）で分極させた水を霧化させるものとする。【００２３】
前記の構成の場合、水を分極させて霧化させることで、帯電し且つ霧化した状態の水を放出することができるため、前述のコロナ放電を利用する構成と比較しても、前記帯電霧化手段（2A,2B,2C）を簡易に実現することができる。【００２４】
第８の発明は、第１の発明において、前記対象物（P）は、人であるものとする。【００２５】
前記の構成の場合、人は或る程度の電気容量を有するため、帯電した水滴が人に接近すると、人には該水滴と逆電位の電荷が確実に誘起され、該水滴は電気影像力によって人に引き寄せられる。つまり、対象物（P）が人である場合には、前述の如く、人を積極的に接地させたり、水滴とは逆電位に帯電させたりしなくても、前記帯電霧化手段（2,2A,2B,2C,2D）から放出される霧状の水を人に効率良く吸収又は付着させることができる。
【発明の効果】
【００２６】
本発明によれば、前記帯電霧化手段（2,2A,2B,2C,2D）から帯電した微細な水滴を放出することによって、該水を対象物（P）に効率良く吸収又は付着させることができる。その結果、霧状の水を対象物（P）に効率良く付与することができ、加湿システム（1）の消費電力を抑制することができる。【００２７】
第２の発明によれば、前記対象物接地手段（203）により対象物（P）を接地させることによって、帯電した水滴を電気影像力を利用して対象物（P）により効率良く吸収又は付着させることができる。【００２８】
第３の発明によれば、前記対象物帯電手段（303）により対象物（P）を該水滴と逆電位に帯電させることによって、帯電した水滴をクーロン力を利用して対象物（P）により効率良く吸収又は付着させることができる。また、電気影像力を利用して水滴を対象物（P）に吸収又は付着させる構成と比較すると、電気影像力よりも相対的に強いクーロン力を利用しているため、より効率良く、霧状の水を対象物（P）へ付与することができる。【００２９】
第４の発明によれば、前記帯電霧化手段（2,2D）として静電噴霧手段を採用することによって、水の帯電と霧化とを同時に行うことができ、帯電霧化手段（2,2D）の構成を簡略化することができる。【００３０】
第５の発明によれば、前記帯電霧化手段（2A,2B,2C）を前記霧化手段（7A,8,10）と帯電手段（7B,9）とで構成することによって、帯電霧化手段（2A,2B,2C）の設計自由度を向上させることができ、霧化能力と帯電能力とを別々に向上させることができる。【００３１】
第６の発明によれば、前記霧化手段（8,10）にコロナ放電を利用した帯電手段（9）を組み合わせることによって、前記帯電霧化手段（2A,2B,2C）を簡易に実現することができる。【００３２】
第７の発明によれば、水を分極させて霧化させることで、帯電し且つ霧化した状態の水を放出することができるため、前述のコロナ放電を利用する構成と比較しても、前記帯電霧化手段（2A,2B,2C）を簡易に実現することができる。【００３３】
第８の発明によれば、対象物が人であるため、前述の如く、人を積極的に接地したり帯電させたりしなくても、電気影像力を利用して、水を人に効率良く付与することができる。
【図面の簡単な説明】
【００３４】
【図１】図１は、本発明の実施形態１に係る加湿システムを示す模式図である。
【図２】図２は、静電噴霧装置の概略構成図である。
【図３】図３は、噴霧カートリッジの斜視図である。
【図４】図４は、噴霧カートリッジの要部を示す断面図である。
【図５】図５は、噴霧ノズルと棒状電極の位置関係を示すカートリッジの要部の概略正面図である。
【図６】図６は、噴霧ノズルの先端を示す断面図であり、（Ａ）は噴霧中における噴霧ノズルを、（Ｂ）は噴霧停止中における噴霧ノズルを示す。
【図７】図７は、水滴が対象物に引きつけられる様子を示す説明図である。
【図８】図８は、本発明の実施形態２に係る加湿システムを示す模式図である。
【図９】図９は、水滴が対象物に引きつけられる様子を示す説明図である。
【図１０】図１０は、本発明の実施形態３に係る加湿システムを示す模式図である。
【図１１】図１１は、水滴が対象物に引きつけられる様子を示す説明図である。
【図１２】図１２は、変形例１に係る帯電霧化装置を示す模式図である。
【図１３】図１３は、変形例２に係る帯電霧化装置を示す模式図である。
【図１４】図１４は、変形例３に係る帯電霧化装置を示す模式図である。
【図１５】図１５は、変形例４に係る加湿システムを示す模式図である。
【図１６】図１６は、変形例４に係る帯電霧化装置を示す模式図である。
【符号の説明】
【００３５】
P             人（対象物）
1,201,301     加湿システム
2,2A,2B,2C,2D 静電噴霧装置（帯電霧化手段）
22            電源（電界形成手段）
3             導電性デスク（対象物接地手段）
50            ノズルユニット（電界形成手段）
51            噴霧ノズル（水供給部）
60            電極ホルダー（電界形成手段）
7A            超音波霧化部（霧化手段）
7B            分極部（帯電手段）
8             遠心式噴霧部（霧化手段）
9             コロナ放電部（帯電手段）
10            スプレー式噴霧部（霧化手段）
203           帯電デスク（対象物帯電手段）
420           噴霧ノズル（水放出部、電界形成手段）
425           電源部（電界形成手段）
【発明を実施するための最良の形態】
【００３６】
以下、本発明の実施形態を図面に基づいて詳細に説明する。【００３７】
《発明の実施形態１》
図１に、本発明の実施形態１に係る加湿システム（1）を示す。加湿システム（1）は、帯電した霧状の水を放出する静電噴霧装置（2）を備えている。【００３８】
前記静電噴霧装置（2）は、図２に示すように、噴霧カートリッジ（21）と電源（22）と制御器（23）とを備えている。この静電噴霧装置（2）は、デスク（3）上に配設され、該デスク（3）を使用する使用者（P）に霧状の水滴を供給する。この静電噴霧装置（2）が帯電霧化手段を構成する。【００３９】
図３，４に示すように、噴霧カートリッジ（21）は、溶液タンク（40）と、ノズルユニット（50）と、電極ホルダー（60）と、棒状電極（63）とを備えている。【００４０】
前記溶液タンク（40）は、タンク本体（41）を備えている。タンク本体（41）は、やや扁平な直方体形状に形成された中空の容器である。タンク本体（41）の天板には、空気抜き孔（45）が形成されている。タンク本体（41）の底面（42）は、タンク本体（41）の背面（図２における左側面、図３における奥側の側面）からタンク本体（41）の前面（図２における右側面、図３における手前側の側面）へ向かって傾斜した傾斜面となっている。そして、タンク本体（41）では、その背面側よりも前面側の方が深くなっている。また、タンク本体（41）の側面は、概ね鉛直面となっている。【００４１】
前記タンク本体（41）の前面には、管部（43）が設けられている。この管部（43）は、比較的短い円管状に形成されており、タンク本体（41）の前面から概ね水平方向へ突出している。タンク本体（41）の前面において、管部（43）は、該前面の下端寄りで、且つ該前面の幅方向の概ね中央に配置されている。また、タンク本体（41）の前面を形成する壁には貫通孔（44）が形成されており、この貫通孔（44）を介してタンク本体（41）の内部空間と管部（43）とが連通する。貫通孔（44）の下端は、タンク本体（41）の底面（42）よりも僅かに上方に位置している（図２を参照）。【００４２】
図３，４に示すように、前記ノズルユニット（50）は、噴霧ノズル（51）とノズルホルダー（52）とを備えている。【００４３】
前記噴霧ノズル（51）は、ステンレス製の円管である。一方、前記ノズルホルダー（52）は、円筒型で有底のキャップ状に形成されている。ノズルホルダー（52）は、その内径が管部（43）の外径と概ね等しくなっており、該管部（43）へ被せられている。つまり、ノズルホルダー（52）には、溶液タンク（40）の管部（43）が挿入されている。ノズルホルダー（52）では、図５に示すように、その底部（図３における手前側の端部）の中央に噴霧ノズル（51）の基端部が挿入されている。噴霧ノズル（51）の基端部は、ノズルホルダー（52）の底部を貫通している。溶液タンク（40）にノズルユニット（50）を取り付けると、噴霧ノズル（51）がタンク本体（41）の前面から概ね水平方向へ突出した状態となり、更には、噴霧ノズル（51）が管部（43）及び貫通孔（44）を介してタンク本体（41）の内部空間に連通した状態となる。この噴霧ノズル（51）が水放出部を、該噴霧ノズル（51）の先端開口（51a）が放出口を構成している。【００４４】
前記ノズルホルダー（52）には、端子部（53）が設けられている。この端子部（53）は、ノズルホルダー（52）の外周面から突出しており、ノズルホルダー（52）の開口端側（図３における奥側）に配置されている。ノズルホルダー（52）は、端子部（53）を含む全体が導電性樹脂によって構成されている。そして、ノズルホルダー（52）の底部に挿入された噴霧ノズル（51）は、ノズルホルダー（52）と電気的に接続されており、第１電極を構成している。【００４５】
前記電極ホルダー（60）は、内筒部（61）と外筒部（62）とを備えている。内筒部（61）と外筒部（62）とは、共に円筒状に形成されている。外筒部（62）の内径は、内筒部（61）の外径よりも大きくなっている。内筒部（61）と外筒部（62）とは、互いに同軸に配置されており、それぞれの基端側で互いに連結されて一体化されている。内筒部（61）の内径は、ノズルホルダー（52）の外径と概ね等しくなっている。電極ホルダー（60）は、内筒部（61）及び外筒部（62）の基端側が溶液タンク（40）のタンク本体（41）側を向く姿勢で、その内筒部（61）がノズルホルダー（52）と嵌合することによって、該ノズルホルダー（52）に取り付けられている。この電極ホルダー（60）は、その全体が非導電性の樹脂で構成されている。【００４６】
前記棒状電極（63）は、断面が円形の棒状に形成された部材であって、第２電極を構成している。棒状電極（63）の材質は、金属等の導電性材料である。この棒状電極（63）は、電極ホルダー（60）の外筒部（62）の先端面（図２，図４における右端面）に突設されている。外筒部（62）から突出した棒状電極（63）の先端部分は、突端部（64）を構成している。棒状電極（63）の突端部（64）は、噴霧ノズル（51）の先端よりも溶液タンク（40）側へ後退した位置に設けられている。また、棒状電極（63）の突端部（64）は、噴霧ノズル（51）の側方に位置している。この棒状電極（63）は、電源（22）の負極端子と電気的に接続されている。上述したように、電極ホルダー（60）は、その材質が非導電性の樹脂となっている。従って、棒状電極（63）は、噴霧ノズル（51）から電気的に絶縁されている。【００４７】
なお、上述した噴霧ノズル（51）及び棒状電極（63）の材質は、単なる一例である。つまり、噴霧ノズル（51）の材質は、ステンレス以外の導電性材料（例えば導電性樹脂など）であってもよい。また、棒状電極（63）の材質は、導電性樹脂以外の導電性材料（例えば金属など）であってもよい。【００４８】
前記溶液タンク（40）のタンク本体（41）内には、噴霧用液体として水が貯留されている。タンク本体（41）内における液面（46）の位置は、タンク本体（41）の下部から水平方向へ延びる噴霧ノズル（51）の先端よりも高くなっている。タンク本体（41）内の液面（46）と噴霧ノズル（51）の先端との間にはヘッド差があり、このヘッド差によってタンク本体（41）内の水が噴霧ノズル（51）の先端へ供給される。【００４９】
この噴霧カートリッジ（21）では、噴霧ノズル（51）の先端から水滴化された噴霧用液体が放出されてゆく。このため、噴霧ノズル（51）内へ噴霧用液体が補給されなければ、噴霧ノズル（51）内の噴霧用液体の量が減少してしまって噴霧を継続できなくなる。一方、この噴霧カートリッジ（21）では、噴霧ノズル（51）の先端が溶液タンク（40）内の液面（46）よりも低い位置に設けられており、溶液タンク（40）内の液面（46）と噴霧ノズル（51）の先端との間にヘッド差がある。そのため、このヘッド差によって噴霧ノズル（51）内へ溶液タンク（40）内の噴霧用液体が噴霧ノズル（51）へ補給され、噴霧ノズル（51）からの噴霧が継続的に行われる。つまり、本実施形態の静電噴霧装置（2）において、溶液タンク（40）内の噴霧用液体を噴霧ノズル（51）へ供給するためのポンプ等の部材は不要である。【００５０】
前記電源（22）は、直流高電圧電源である。この電源（22）は、その正極端子がノズルホルダー（52）の端子部（53）を介して噴霧ノズル（51）に電気的に接続され、その負極端子が棒状電極（63）に電気的に接続されている。また、電源（22）の負極端子は、接地（アース）されている。この電源（22）をオンすると、噴霧ノズル（51）に６ｋＶ程度の電圧が印加される。前記電源（22）、ノズルユニット（50）及び電極ホルダー（60）が電界形成手段を構成する。なお、図２は、ノズルホルダー（52）の端子部（53）の図示を省略したものであり、便宜的に電源（22）を噴霧ノズル（51）に接続した図となっている。【００５１】
前記制御器（23）は、電源（22）のスイッチングを行うものであって、制御手段を構成している。具体的に、この制御器（23）は、電源（22）のオン／オフを交互に繰り返すように構成されている。また、制御器（23）は、電源（22）をオンしている時間（オン時間）と電源（22）をオフしている時間（オフ時間）の比率、すなわちデューティー比を、溶液タンク（40）内の液面（46）の高さに応じて調節するように構成されている。【００５２】
−運転動作−
前記加湿システム（1）の運転動作について説明する。【００５３】
前記静電噴霧装置（2）は、いわゆるコーンジェットモードのＥＨＤ噴霧を行う。【００５４】
前述したように、噴霧カートリッジ（21）では、溶液タンク（40）内の液面（46）が噴霧ノズル（51）の先端よりも上に位置しており、溶液タンク（40）内の液面（46）と噴霧ノズル（51）の先端との間にヘッド差がある状態となっている。このため、噴霧ノズル（51）の先端開口（51a）に形成される気液界面（47）には、ヘッド差に起因する液圧が作用している。【００５５】
電源（22）がオフになった状態（即ち噴霧ノズル（51）と棒状電極（63）とが同電位である状態）において、噴霧ノズル（51）の先端開口（51a）に形成された気液界面（47）では、図６(Ｂ)に示すように、表面張力とヘッド差に起因する液圧とが均衡した状態となっている。このため、電源（22）をオフした状態でも、噴霧ノズル（51）の先端開口（51a）から噴霧用液体が流出することはない。【００５６】
電源（22）がオンになった状態（即ち噴霧ノズル（51）と棒状電極（63）との間に電位差が付与された状態）では、噴霧ノズル（51）の先端開口（51a）近傍に電界が形成される。また、噴霧ノズル（51）内の噴霧用液体が分極し、噴霧ノズル（51）の先端開口（51a）の気液界面（47）近傍に正（＋）の電荷が集まる。そして、噴霧ノズル（51）の先端開口（51a）に存在する噴霧用液体には、それを噴霧ノズル（51）から引っ張り出す方向のクーロン力が作用する。その結果、噴霧ノズル（51）の先端では、図６(Ａ)に示すように、気液界面（47）が引き延ばされて円錐状となり、この円錐状となった気液界面（47）の頂部から一部の噴霧用液体が引きちぎられるようにして水滴化する。【００５７】
噴霧ノズル（51）の先端開口（51a）からは、水の微細な水滴が放出され、この水滴が室内の空気中へ供給される。この水滴は正に帯電している。【００５８】
そして、正に帯電した水滴が使用者（P）まで飛散してくると、図７に示すように、使用者（P）の表面に負電荷が誘起され、水滴と使用者（P）との間に電気影像力が発生する。その結果、水滴が使用者（P）に引き寄せられ、使用者（P）に付着し又は使用者（P）の口や鼻から吸収される。人間である使用者（P）は或る程度の電気容量を有するため、該電気容量が許す限り電気影像力が発生し続け、使用者（P）の近傍まで飛散してきた水滴は使用者（P）に効率良く付着し又は吸収され続ける。また、使用者（P）は帯電している水滴の分だけ電荷が蓄積されていくが、該使用者（P）が加湿システム（1）の使用中に接地された物に触れていたり、そうでない場合でも使用者（P）が移動等することで接地された物に触れたりすることによって、使用者（P）に蓄積されていた電荷が放電される。このように、人である使用者（P）は、或る程度の電気容量を有すると共に、蓄積された電荷を放電する機会が頻繁にあるため、電気影像力を発生させ続けることができ、帯電した水滴を、効率良く付着させ又は吸収し続けることができる。【００５９】
−実施形態１の効果−
したがって、前記実施形態１によれば、前記静電噴霧装置（2）によって溶液タンク（40）内の水を帯電し且つ霧化した状態で放出することによって、帯電した水滴を電気影像力の作用により使用者（P）に吸収又は付着させることができる。その結果、静電噴霧装置（2）から放出される水滴に対して、対象物（P）に付与される水滴の量を増大させることができ、加湿システム（1）の消費電力を抑制することができる。【００６０】
また、前記加湿システム（1）は、対象物（P）が人であるため、後述する実施形態２，３のように対象物を積極的に接地させたり、帯電させたりする必要がないので、構成の簡易にすることができると共に、汎用性を向上させることができる。【００６１】
また、前記実施形態１では、静電噴霧装置（2）から放出される水滴を正に帯電させているが、該水滴を負に帯電させる構成であってもよい。【００６２】
《発明の実施形態２》
次に、本発明の実施形態２に係る加湿システム（201）について説明する。この加湿システム（201）は、人等の対象物を接地させる点で、前記実施形態１とは異なる。尚、実施形態１と同様の構成については同様の符号を付し、説明を省略する。【００６３】
本実施形態２に係る加湿システム（201）は、図８に示すように、静電噴霧装置（2）と、対象物としての人（P）を接地（アース）させる導電性デスク（203）とを備える。【００６４】
前記導電性デスク（203）は、その天板上に、接地面（G）にアースされた導電性マット（図示省略）が設置されている。つまり、この導電性デスク（203）の使用者（P）が導電性マットに触れることよって、該使用者（P）は接地されることになる。この導電性デスク（203）が対象物接地手段を構成する。尚、図８は、導電性マット及びその端子等を省略したものであり、便宜的に導電性デスク（203）と接地面（G）とを接続した図となっている。【００６５】
一方、導電性デスク（203）の使用者（P）は、導電性デスク（203）上の導電性マットに接触することによって接地された状態となっている。ここへ、正に帯電した水滴が飛散してくると、図９に示すように、使用者（P）の表面に負電荷が誘起され、水滴と使用者（P）との間に電気影像力が発生する。その結果、水滴が使用者（P）に引き寄せられ、使用者（P）に付着し又は使用者（P）の口や鼻から吸収される。こうして、使用者（P）の近傍まで飛散してきた水滴が使用者（P）に効率良く付着し又は吸収される。ここで、本実施形態２では、使用者（P）が導電性デスク（203）により接地されているため、該使用者（P）は電気影像力を発生させ続けることができる。【００６６】
−実施形態２の効果−
したがって、前記実施形態２によれば、前記静電噴霧装置（2）によって溶液タンク（40）内の水を帯電し且つ霧化した状態で放出すると共に、前記導電性デスク（203）によって使用者（P）を接地させることによって、帯電した水滴を電気影像力の作用により使用者（P）に積極的に吸収又は付着させることができる。その結果、静電噴霧装置（2）から放出される水滴に対して、対象物（P）に付与される水滴の量を増大させることができ、加湿システム（201）の消費電力を抑制することができる。【００６７】
また、前記加湿システム（201）は、人等の対象物（P）を導電性デスク（203）で接地させることによって、対象物（P）に蓄積する電荷が飽和することがなく、電気影像力を発生させ続けることができ、対象物（P）に水滴を効率良く吸収又は付着させることができる。【００６８】
さらに、前記加湿システム（201）は、人等の対象物（P）を接地させることによって帯電した水滴の付与効率を向上させているため、後述する実施形態３のように対象物を帯電させる必要がなく、対象物（P）を接地させればよいので、オフィス等の既存の空間に採用し易い。すなわち、加湿システム（201）は、導電性デスク（203）により対象物（P）を接地させる構成とすることによって、加湿システム（1）の汎用性を向上させることができる。【００６９】
尚、前記実施形態では、導電性デスク（203）で対象物接地手段を構成しているが、これに限られるものではない。例えば、チェア（232）を、導電性ビニールレザーや導電性キャスター等で構成される導電性チェアで構成してもよい。また、対象物である人（P）が接地面（G）にアースされた静電ストラップを装着することによって該人（P）を接地するように構成してもよく、対象物である人（P）が静電服及び静電靴を着用し、フロア面に静電マットを設置する等して、該人（P）を接地するように構成してもよい。さらには、マウスやキーボードを接地面（G）に接地させる構成であってもよい。すなわち、人等の対象物（P）を接地できる構成であれば任意の接地手段を採用することができる。【００７０】
《発明の実施形態３》
次に、本発明の実施形態３に係る加湿システム（301）について説明する。この加湿システム（301）は、人等の対象物を帯電させる点で、前記実施形態１とは異なる。尚、実施形態１と同様の構成については同様の符号を付し、説明を省略する。【００７１】
この実施形態３に係る加湿システム（301）の帯電霧化装置は、図１０に示すように、静電噴霧装置（2）と、対象物としての人を帯電させる帯電デスク（303）とを備える。【００７２】
前記静電噴霧装置（2）は、前記実施形態１と同様の構成である。【００７３】
前記帯電デスク（303）は、デスク本体（330）と電源（333）とを有している。この電源（333）の負極端子がデスク本体（330）に電気的に接続される一方、電源（333）の正極端子が接地されており、デスク本体（330）に所定の負の電圧が印加されるように構成されている。こうして、デスク本体（330）は、前記静電噴霧装置（2）から供給される水滴とは逆電位である負に帯電している。こうすることで、この帯電デスク（303）を使用する使用者（P）は、デスク本体（330）に触れることによって負に帯電することになる。この帯電デスク（303）が対象物帯電手段を構成する。尚、デスク本体（330）に印加する電圧は、使用者（P）に痛みを与えない程度の電圧に設定されている。【００７４】
−運転動作−
このように構成された帯電デスク（303）を備えた加湿システム（301）の運転動作について説明する。【００７５】
前記静電噴霧装置（2）の運転動作は、前記実施形態１と同様である。つまり、静電噴霧装置（2）からは、図１１に示すように、水の微細な水滴が正に帯電した状態で放出され、この水滴が室内の空気中へ供給される。【００７６】
一方、帯電デスク（303）を使用する使用者（P）は、負に帯電した状態となっている。そのため、室内の空気中を浮遊する水滴は、クーロン力によって使用者（P）に引き寄せられ、使用者（P）に付着し又は使用者（P）の口や鼻から吸収される。こうして、室内の空気中を浮遊する水滴が使用者（P）に効率良く付着し又は吸収される。【００７７】
−実施形態３の効果−
したがって、前記実施形態３によれば、前記静電噴霧装置（2）によって溶液タンク（40）内の水を帯電し且つ霧化した状態で放出すると共に、前記帯電デスク（303）によって使用者（P）を該帯電した水滴と逆電位に帯電させることによって、水滴をクーロン力の作用により使用者（P）に積極的に吸収又は付着させることができる。その結果、静電噴霧装置（2）から供給される水滴に対して、対象物（P）に付与される水滴の量を増大させることができ、加湿システム（301）の消費電力を抑制することができる。【００７８】
また、クーロン力は前述の電気影像力よりは強いため、前記加湿システム（301）は、対象物（P）を（水滴とは逆電位に）帯電させることによって実施形態１，２よりもさらに効率的に水滴を対象物に付与することができる。【００７９】
尚、前記実施形態３では、静電噴霧装置（2）から供給される水滴を正に帯電させているが、該水滴を負に帯電させる構成であってもよい。ただし、その場合には、帯電デスク（303）を正に帯電させる必要がある。【００８０】
また、前記実施形態３では、帯電デスク（303）で対象物帯電手段を構成しているが、これに限られるものではない。例えば、チェア（332）に所定の負の電圧が印加されるように構成してもよい。また、対象物である人（P）に電圧が印可されたストラップを装着させることによって該人（P）を帯電させるように構成してもよく、対象物である人（い。すなわち、人等の対象物（P）を帯電させることができる構成であれば任意の帯電手段を採用することができる。【００８１】
《実施形態１〜３の変形例１》
次に、実施形態１〜３の変形例１について説明する。この変形例１は、帯電霧化手段の構成が実施形態１〜３と異なる。【００８２】
詳しくは、変形例１に係る帯電霧化装置（2A）は、超音波霧化装置（7）で構成されている。【００８３】
この超音波霧化装置（7）は、図１２に示すように、超音波霧化部（7A）と分極部（7B）と制御器（73）とを備えている。【００８４】
前記超音波霧化部（7A）は、噴霧カートリッジ（71）とアンプ（76）とを有している。【００８５】
前記噴霧カートリッジ（71）は、溶液タンク（74）と振動子（75）とを含んでいる。【００８６】
前記溶液タンク（74）は、上方に噴口（74a）を有する中空の容器であり、この溶液タンク（74）内に噴霧用液体として水が貯留される。【００８７】
前記振動子（75）は、前記溶液タンク（74）の底面に設置されると共に、アンプ（76）に接続されている。つまり、振動子（75）はアンプ（76）から電力供給されることによって超音波帯域の振動数で振動し、溶液タンク（74）内の液体に超音波の振動エネルギーを与える。こうすることで、溶液タンク（74）の液体が微細な水滴となって空気中に供給、即ち、噴霧が行われる。【００８８】
前記アンプ（76）には、制御器（73）が接続されている。つまり、制御器（73）の制御によってアンプ（76）から振動子（75）へ電力が供給されて、噴霧が行われる。【００８９】
前記分極部（7B）は、放電電極（77）と対向電極（78）とこれら放電電極（77）及び対向電極（78）に接続された電源（72）とを有している。【００９０】
前記放電電極（77）は、導電性樹脂等の導電性材料からなる棒状の電極であって、溶液タンク（74）に設置されている。詳しくは、放電電極（77）は、溶液タンク（74）の下方位置において、溶液タンク（74）の壁部を貫通して該溶液タンク（74）の内外に突出するように設けられている。【００９１】
前記対向電極（78）は、金属等の導電性材料からなる環状の電極であって、溶液タンク（74）の噴口（74a）の近傍に設置されている。この対向電極（78）と放電電極（77）とは電気的に絶縁されている。【００９２】
また、前記電源（72）は、直流高電圧電源である。この電源（72）は、その正極端子が放電電極（77）の溶液タンク（74）外側に突出した部分に電気的に接続される一方、その負極端子が対向電極（78）に電気的に接続される。この電源（72）は制御器（73）に接続されている。【００９３】
−運転動作−
前記超音波霧化装置（7）の運転動作について説明する。【００９４】
前述したように、噴霧カートリッジ（71）は、制御器（73）がアンプ（76）をオン状態にすることによって、振動子（75）に電力が供給され、該振動子（75）の振動により、溶液タンク（74）内の水が微細な水滴となって空気中に供給される。このとき、制御器（73）が電源（72）もオン状態（即ち、溶液タンク（74）内の水と対向電極（78）との間に電位差が付与された状態）に制御している。この状態においては、溶液タンク（74）内の水は、水面付近に正の電荷が集まった分極状態となっている。つまり、溶液タンク（74）内の水は、このように分極した状態で振動子（75）により加振されるため、正に帯電した水滴として空気中に供給される。【００９５】
こうして、超音波霧化装置（7）によって、帯電した水滴が室内の空気中へ放出される。【００９６】
室内の空気中へ供給された水滴は、帯電した水滴に作用する電気影像力（実施形態１，２）又はクーロン力（実施形態３）によって、対象物としての人（P）に効率良く付着又は吸収される。【００９７】
この変形例１によれば、水の霧化を前記超音波霧化部（7A）で行う一方、水の帯電を前記分極部（7B）で行うことによって、霧化性能は超音波霧化部（7A）で、帯電性能は分極部（7B）で追求することができるため、設計自由度を向上させることができ、超音波霧化装置（7）全体としての性能を向上させることができる。【００９８】
また、前記超音波霧化部（7A）を採用することによって、静電噴霧と比較して、より大量に噴霧を行うことができる。【００９９】
さらに、分極部（7B）を採用することによって、後述するコロナ放電を利用する構成と比較して、帯電霧化手段を簡易に実現することができる。【０１００】
《実施形態１〜３の変形例２》
続いて、実施形態１〜３の変形例２について説明する。この変形例２は、帯電霧化手段の構成が実施形態１〜３と異なる。【０１０１】
詳しくは、変形例２に係る帯電霧化装置（2B）は、図１３に示すように、遠心式噴霧部（8）とコロナ放電部（9）とこれら遠心式噴霧部（8）及びコロナ放電部（9）を制御する制御器（11）とで構成されている。【０１０２】
前記遠心式噴霧部（8）は、ハウジング（81）と該ハウジング（81）内に設けられた遠心部（82）とを備えている。【０１０３】
前記ハウジング（81）には、噴霧用液体としての水を貯留するためのタンク部（83）と、該ハウジング（81）内に空気を導入する空気導入部（84）と、該ハウジング（81）内に導入された空気を噴出するための空気噴出部（85）とが設けられている。【０１０４】
前記遠心部（82）は、回転盤（821）と、該回転盤（821）を回転駆動する回転駆動部（822）とを有する。この回転盤（821）は、漏斗状の回転盤本体（823）と回転盤本体（823）の回転中心からその回転軸に沿って下方に延びる吸入管（824）とを備えている。そして、この回転盤（821）は、前記ハウジング（81）内において、吸入管（824）の先端が前記タンク部（83）内の水に浸漬した状態で回転可能に支承されている。また、回転駆動部（822）には制御器（11）が接続されており、回転駆動部（822）は制御器（11）によって制御されている。【０１０５】
前記コロナ放電部（9）は、放電電極（91）と対向電極（92）と該放電電極（91）及び該対向電極（92）に接続される電源（93）とを有する。【０１０６】
これら放電電極（91）及び対向電極（92）とは、前記遠心式噴霧部（8）の空気噴出部（85）の出口近傍において、該空気噴出部（85）から噴出される空気を挟むようにして互いに対向した状態で設置されている。【０１０７】
前記電源（93）は、直流高電圧電源であって、その正極端子が放電電極（91）に電気的に接続される一方、その負極端子が対向電極（92）に電気的に接続されている。この電源（93）には制御器（11）が接続されており、電源（93）は制御器（11）によって制御される。そして、電源（93）をオン状態とすることによって、放電電極（91）と対向電極（92）との間に高電圧を印加されコロナ放電が発生する。【０１０８】
−運転動作−
このように構成された変形例２に係る帯電霧化装置（2B）の運転動作について説明する。【０１０９】
前記制御器（11）が遠心式噴霧部（8）の回転駆動部（822）を作動させると共に、コロナ放電部（9）の電源（93）をオン状態にさせることによって、帯電霧化装置が運転状態となる。【０１１０】
前記遠心式噴霧部（8）の回転駆動部（822）を作動させることによって回転盤（821）が回転する。回転盤（821）が回転すると、該回転盤（821）の遠心力によりタンク部（83）内の水が吸入管（824）を介して回転盤本体（823）内に吸い上げられる。回転盤本体（823）内に吸い上げられた水は、高速回転する回転盤本体（823）内で薄い水膜状に形成され、その後、微細な水滴となってハウジング（81）内の空気中に放出される。【０１１１】
一方、ハウジング（81）内には、前記空気導入部（84）からポンプ等によって空気が導入されており、この空気導入部（84）から導入された空気に前記遠心部（82）で霧化された水滴が混入して加湿空気が生成される。この加湿空気はハウジング（81）の空気噴出部（85）から噴出される。【０１１２】
この空気噴出部（85）の出口近傍には前記コロナ放電部（9）が配置されており、空気噴出部（85）から噴出された加湿空気は、コロナ放電部（9）の放電電極（91）と対向電極(92)との間に形成された放電場を通過していくことになる。このとき、加湿空気中の水滴は帯電することになる。【０１１３】
こうして、遠心式噴霧部（8）及びコロナ放電部（9）によって、帯電した水滴が室内の空気中へ供給される。【０１１４】
室内の空気中へ供給された水滴は、帯電した水滴に作用する電気影像力（実施形態１，２）又はクーロン力（実施形態３）によって、対象物としての人（P）に効率良く付着又は吸収される。【０１１５】
この変形例２によれば、水の霧化を前記遠心式噴霧部（8）で行う一方、水の帯電を前記コロナ放電部（9）で行うことによって、霧化性能は遠心式噴霧部（8）で、帯電性能はコロナ放電部（9）で追求することができるため、設計自由度を向上させることができ、帯電霧化装置（2B）全体としての性能を向上させることができる。【０１１６】
また、前記遠心式噴霧部（8）を採用することによって、静電噴霧と比較して、より大量に噴霧を行うことができる。【０１１７】
《実施形態１〜３の変形例３》
続いて、実施形態１〜３の変形例３について説明する。この変形例３は、帯電霧化手段の構成が実施形態１〜３と異なる。【０１１８】
詳しくは、変形例３に係る帯電霧化装置（2C）は、図１４に示すように、スプレー式噴霧部（10）とコロナ放電部（9）とこれらスプレー式噴霧部（10）及びコロナ放電部（9）とを制御する制御器（11）とで構成されている。尚、この変形例３に係る帯電霧化装置（2C）は、前記変形例２に係る帯電霧化装置（2B）と、噴霧方式において異なる。そこで、スプレー式噴霧部（10）の構成について主に説明し、変形例２と同様の構成については同様の符号を付して、その説明を省略する。【０１１９】
前記スプレー式噴霧部（10）は、噴霧用液体としての水が貯留された溶液タンク（101）と、該溶液タンク（101）から延びる吸水管（102）と、該吸水管（102）の先端部に設けられたノズル（103）と、吸水管（102）の途中に設けられ、溶液タンク（101）内の水を吸い上げて、ノズル（103）へ圧送するポンプ（104）とを備えている。このポンプ（104）には制御器（11）が接続されており、該制御器（11）によってポンプ（104）が制御される。【０１２０】
また、前記コロナ放電部（9）は、放電電極（91）及び対向電極（92）とが、ノズル（103）近傍において、該ノズル（103）から噴霧される水滴を挟むようにして互いに対向した状態で設置されている。コロナ放電部（9）の電源（93）には制御器（11）が接続されており、電源（93）は制御器（11）によって制御される。【０１２１】
−運転動作−
このように構成された変形例３に係る帯電霧化装置（2C）の運転動作について説明する。【０１２２】
前記制御器（11）がスプレー式噴霧部（10）のポンプ（104）を作動させると共に、コロナ放電部（9）の電源（93）をオン状態にさせることによって、帯電霧化装置（2C）が運転状態となる。【０１２３】
前記ポンプ（104）を作動させることによって、溶液タンク（101）内の水が吸水管（102）を介してノズル（103）まで吸い上げられ、このノズル（103）から微細な水滴となって空気中に噴霧される。【０１２４】
一方、ノズル（103）の近傍には前記コロナ放電部（9）が配置されており、ノズル（103）から噴霧された水滴は、コロナ放電部（9）の放電電極（91）と対向電極（92）との間に形成された放電場を通過していくことになる。このとき、水滴は帯電する。【０１２５】
こうして、スプレー式噴霧部（10）及びコロナ放電部（9）によって、帯電した水滴が室内の空気中へ供給される。【０１２６】
室内の空気中へ供給された水滴は、帯電した水滴に作用する電気影像力（実施形態１，２）又はクーロン力（実施形態３）によって、対象物としての人（P）に効率良く付着又は吸収される。【０１２７】
この変形例３によれば、水の霧化を前記スプレー式噴霧部（10）で行う一方、水の帯電を前記コロナ放電部（9）で行うことによって、霧化性能はスプレー式噴霧部（10）で、帯電性能はコロナ放電部（9）で追求することができるため、設計自由度を向上させることができ、帯電霧化装置（2C）全体としての性能を向上させることができる。【０１２８】
また、前記スプレー式噴霧部（10）を採用することによって、静電噴霧と比較して、より大量に噴霧を行うことができる。【０１２９】
《実施形態１〜３の変形例４》
続いて、実施形態１〜３の変形例４について説明する。この変形例４は、帯電霧化手段の構成が実施形態１〜３と異なる。【０１３０】
詳しくは、変形例４に係る静電噴霧装置（2D）は、図１５に示すように、デスク（3）上に配設されたパーソナルコンピュータ（416）に取り付けられた状態で使用される。【０１３１】
この静電噴霧装置（2D）は、図１６に示すように、ケーシング（411）と容器部（415）と噴霧ノズル（420）と液搬送部（422）と電源用接続部（429）と電源部（425）と運転制御部（426）とを備えている。容器部（415）と液搬送部（422）と電源部（425）と運転制御部（426）は、ケーシング（411）に収容されている。また、噴霧ノズル（420）は、ケーシング（411）の前面から突出するように設けられている。【０１３２】
容器部（415）は、噴霧する液体を貯留するためものである。容器部（415）は、円筒状に形成されている。容器部（415）の一端には後述する接続管（413）を接続するための貫通孔が形成され、容器部（415）の他端には後述する液搬送部（422）のロッドを挿入するための貫通孔が形成されている。容器部（415）には、噴霧用液体として水が貯留されている。【０１３３】
噴霧ノズル（420）は、液体を噴霧するためのノズル部であって、ステンレス製の円管として構成されている。噴霧ノズル（420）には、内径が０．２ｍｍのものが用いられている。噴霧ノズル（420）の先端部（420a）は、先端ほど外径が小さくなるように形成されている。先端部（420a）の外周面は、頂角が２０度の円錐面になっている。噴霧ノズル（420）は、接続管（413）を介して容器部（415）の内部に連通している。この噴霧ノズル（420）が水放出部を構成し、その先端開口が放出口を構成する。なお、この実施形態では噴霧ノズル（420）の本数が１本であるが、噴霧ノズル（420）の本数が複数であってもよい。【０１３４】
液搬送部（422）は、いわゆるシリンジポンプである。液搬送部（422）は、容器部（415）内を加圧するためのピストン部（423）と、ピストン部（423）を移動させるためのモータ部（424）とを備えている。ピストン部（423）は、円板状に形成されており、外周が容器部（415）の内周面に密着する状態で容器部（415）内に設けられている。容器部（415）内は、ピストン部（423）よりも前面側が液体で満たされている。ピストン部（423）の背面は、ロッドを介してモータ部（424）に接続されている。【０１３５】
液搬送部（422）では、モータ部（424）が駆動すると、ピストン部（423）が少しずつ前方に移動する。ピストン部（423）が前方に移動すると、容器部（415）内の液体が押し出されて噴霧ノズル（420）に供給される。液搬送部（422）は、毎秒０．１μＬ以上１．５μＬ以下の範囲の量の値（例えば毎秒１．５μＬ）の液体を噴霧ノズル（420）に供給するように構成されている。液搬送部（422）が噴霧ノズル（420）に供給する液体の量は、噴霧ノズル（420）から噴霧しようとする液体の量になっている。【０１３６】
電源用接続部（429）は、ＵＳＢコード（414）を接続可能に構成されている。また、電源用接続部（429）は、電源部（425）と電気的に接続されている。電源用接続部（429）が、ＵＳＢコード（414）を介して、パーソナルコンピュータ（416）の本体（417）のＵＳＢポート（419）に接続されると、電源部（425）にはパーソナルコンピュータ（416）の本体（417）から電力が供給される。【０１３７】
電源部（425）は、ＵＳＢポート（419）からの供給された電力を、モータ部（424）及び運転制御部（426）に供給するように構成されている。また、電源部（425）は、ＵＳＢポート（419）からの供給された電流の電圧（５Ｖ）を、５ｋＶ以上１１ｋＶ以下の範囲の高電圧（例えば６ｋＶ）に変換して噴霧ノズル（420）に印加するように構成されている。【０１３８】
運転制御部（426）は、静電噴霧装置（2D）の運転を制御するための部分である。運転制御部（426）は、静電噴霧装置（2D）の電源がＯＮ状態に設定されると、液搬送部（422）のモータ部（424）を駆動させると共に、噴霧ノズル（420）に電圧を印加するように電源部（425）に指令を出すように構成されている。【０１３９】
−運転動作−
本実施形態の静電噴霧装置（2D）の運転動作について説明する。この静電噴霧装置（2D）は、図２に示すようなパーソナルコンピュータ（416）のディスプレイ（418）の上に設置された状態で使用される。電源用接続部（429）には、一端がパーソナルコンピュータ（416）の本体（417）のＵＳＢポート（419）に接続されたＵＳＢコード（414）が接続される。なお、ケーシング（411）には、ディスプレイ（418）の上部を挟み込むことによってケーシング（411）をディスプレイ（418）の上部に固定するための固定部が設けられている（図示省略）。【０１４０】
この状態で、静電噴霧装置（2D）の電源がＯＮ状態に設定されると、電源部（425）によって噴霧ノズル（420）に電圧が印加されて噴霧ノズル（420）の先端部に電界が形成されると共に、液搬送部（422）のモータ部（424）が駆動する。この実施形態では、噴霧ノズル（420）及び電源部（425）が電界形成手段を構成している。【０１４１】
モータ部（424）が駆動すると、ピストン部（423）が容器部（415）内を少しずつ前方に移動し、容器部（415）内の液体が押し出されて噴霧ノズル（420）に供給される。噴霧ノズル（420）には、毎秒１．５μＬの液体が供給される。噴霧ノズル（420）の先端には電界が形成されているので、噴霧ノズル（420）内の液体が分極し、噴霧ノズル（420）の先端の気液界面近傍に＋（プラス）の電荷が集まる。そして、噴霧ノズル（420）の先端では、気液界面が引き延ばされて円錐状となり、この円錐状となった気液界面の頂部から一部の水溶液が引きちぎられて液滴化する。噴霧ノズル（420）からは、容器部（415）から供給された量と等しい量（毎秒１．５μＬ）の液体が液滴化する。【０１４２】
この実施形態の印加電圧の大きさ、及び液体の電気抵抗率であれば、噴霧ノズル（420）から飛散する液滴の大きさは、概ね５０μｍから２００μｍの範囲の大きさになる。噴霧ノズル（420）から飛散した液体は、噴霧ノズル（420）の先端から４０から６０ｃｍ程度離れた使用者（P）に向かって飛散する。【０１４３】
室内の空気中へ供給された水滴は、帯電した水滴に作用する電気影像力（実施形態１，２）又はクーロン力（実施形態３）によって、対象物としての人（P）に効率良く付着又は吸収される。【０１４４】
尚、静電噴霧装置（2D）は、必ずしも、パーソナルコンピュータ（416）に取り付けて使用する必要はない。例えば、静電噴霧装置（2D）は、単にデスク（3）上に設置された状態で使用してもよい。その場合、電源用接続部（429）は、ＵＳＢコード（414）を接続可能に構成されている必要はなく、商用電源からの電源コードを接続可能に構成されていればよい。【０１４５】
《その他の実施形態》
本発明は、前記実施形態について、以下のような構成としてもよい。【０１４６】
すなわち、前記実施形態では、対象物を人としているが、これに限られるものではない。人以外の物を対象物としてもよい。その場合、対象物を任意の手段によって接地（実施形態２）又は帯電（実施形態３）すればよい。
【産業上の利用可能性】
【０１４７】
以上説明したように、本発明は、霧状の水を対象物に効率良く付与することができるため、霧状の水を対象物に付与する加湿システムに有用である。
【図１】
2008015994.tif 000003
【図２】
2008015994.tif 000004
【図３】
2008015994.tif 000005
【図４】
2008015994.tif 000006
【図５】
2008015994.tif 000007
【図６】
2008015994.tif 000008
【図７】
2008015994.tif 000009
【図８】
2008015994.tif 000010
【図９】
2008015994.tif 000011
【図１０】
2008015994.tif 000012
【図１１】
2008015994.tif 000013
【図１２】
2008015994.tif 000014
【図１３】
2008015994.tif 000015
【図１４】
2008015994.tif 000016
【図１５】
2008015994.tif 000017
【図１６】
2008015994.tif 000018
【国際調査報告】
2008015994.tif 000019
2008015994.tif 000020